(57)【要約】【課題】  本発明は、風や振動の影響で突起に絡げ或は巻付けたロープが滑って緩まないように、複数の滑り防止部材を設けると共に、突起にロープを絡げ或は巻付ける作業が容易にできるロープの締付け具を提供する。【解決手段】  所定の個所に掛け渡したロープＸを締め付け緊張させる締付け具であって、締付け具本体１１と、該締付け具本体１１に略並行に立設した複数の突起３１，３１と、該突起３１の外周に形成された滑り防止部材３３とを有することを特徴とする。【選択図】      図１
2005249105.tif 000002
【特許請求の範囲】
【請求項１】
所定の個所に掛け渡したロープを締付け緊張させる締付け具であって、
締付け具本体と、
該締付け具本体に略平行に立設した複数の突起と、
該複数の突起間にロープを挿通して締付け具本体を回転して複数の突起にロープを絡げ或いは巻き付けたとき前記締付け具本体の逆転を止める係止部と、
前記突起の外周に形成され、ロープの長手方向の滑りを防止する滑り防止部材と、を有することを特徴とする締付け具。
【請求項２】
所定の個所に掛け渡したロープを締付け緊張させる締付け具であって、
締付け具本体と、
該締付け具本体に略平行に立設した複数の突起と、
該複数の突起間にロープを挿通して締付け具本体を回転して複数の突起にロープを絡げ或いは巻き付けたとき前記締付け具本体の逆転を止める切欠と、を有することを特徴とする締付け具。
【請求項３】
前記係止部が、締付け具本体に形成された切欠であることを特徴とする請求項１記載の締付け具。
【請求項４】
前記切欠が、締付け具本体に形成されたことを特徴とする請求項２記載の締付け具。
【請求項５】
前記突起が先端に突出部を有することを特徴とする請求項１から４のいずれかに記載の締付け具。
【請求項６】
前記係止部又は切欠が、前記突出部に形成されたことを特徴とする請求項５記載の締付け具。
【発明の詳細な説明】
【技術分野】
【０００１】
本発明は所定の個所に掛け渡したロープを締付ける締付け具に関する。
【背景技術】
【０００２】
従来、農業用ビニールハウス等の骨組みにビニール等の合成樹脂シートを被せ固定する場合、シートの表面に幅広のテープを掛け渡し、テープの両端を地表近くの枠体に固定し、このテープの中間を締付け具で強く張って取付けていた（例えば、特許文献１、特許文献２参照）。両文献とも細長い本体の一端に２本の突起を近接して略平行に立設し、これらとは離れた本体の他端に別の突起を立設したものであった。近接して配置された２本の突起間にテープを挿通し、細長い本体をこれら２本の突起の中心を回転軸として回転すると、テープが２本の突起に絡まり或いは巻き付けられ、テープにテンションが加わる。この状態で加えた力を取り去ると本体は逆転してしまうので、離れて設けられた別の突起をテープに引っかけて、本体の逆転を防止するようにしている。
【特許文献１】実用新案登録第３０７７１２１号公報
【特許文献２】特開２００３―３１２６０６号公報
【発明の開示】
【発明が解決しようとする課題】
【０００３】
しかしながら、両者とも並立した突起の外周が滑らかで、絡げ或は巻付けたテープが滑り易く、抜け出易い。そこで、特許文献２では、並立した突起の先端に突出部を形成し、突起に絡げ或いは巻き付けたテープが突起から抜け出るのを防止している。しかし、この程度では、風や振動の影響を受けるとテープが突起から抜け出ることを防止できず、テープが緩み易かった。更に、一端に並立した突起と他端の突起が同方向に突出しており、テープを緊張するため並立した突起にテープを巻付ける際、他端の突起が邪魔で巻付け難かった。
【０００４】
本発明は、風や振動の影響により並立した突起に絡げ或は巻付けたテープが滑って緩まないように複数の滑り防止機構を設けると共に、並立した突起にテープを絡げ或は巻付ける作業を容易にできる締付け具を提供しようとするものである。
【課題を解決するための手段】
【０００５】
上記の目的を達成するために本願の請求項１の締付け具は、所定の個所に掛け渡したロープを締付け緊張させる締付け具であって、締付け具本体と、該締付け具本体に略平行に立設した複数の突起と、該複数の突起間にロープを挿通して締付け具本体を回転して複数の突起にロープを絡げ或いは巻き付けたとき前記締付け具本体の逆転を止める係止部と、前記突起の外周に形成され、ロープの長手方向の滑りを防止する滑り防止部材と、を有することを特徴としている。
【０００６】
本願の請求項２の締付け具は、所定の個所に掛け渡したロープを締付け緊張させる締付け具であって、締付け具本体と、該締付け具本体に略平行に立設した複数の突起と、該複数の突起間にロープを挿通して締付け具本体を回転して複数の突起にロープを絡げ或いは巻き付けたとき前記締付け具本体の逆転を止める切欠と、を有することを特徴としている。
本願の請求項３の締付け具は、前記係止部が、締付け具本体に形成された切欠であることを特徴としている。
【０００７】
本願の請求項４の締付け具は、請求項２の切欠が、締付け具本体に形成されたことを特徴としている。
【０００８】
本願の請求項５の締付け具は、前記突起が先端に突出部を有することを特徴としている。
【０００９】
本願の請求項６の締付け具は、前記係止部又は切欠が、前記突出部に形成された切欠であることを特徴としている。
【００１０】
なお、本願で言うロープとは、可撓性を有する細長い紐状の物品であり、ロープ、ワイヤー、縄、紐、テープ等を含むものである。また、締付け具とは、荷造りなどでロープを張った場合にロープにテンションを加えるものである。実施例では、農業用ビニールハウスのパイプ製骨格にビニールシートをビニールテープにより取付ける場合のビニールテープの締付け具を例示して説明している。
【発明の効果】
【００１１】
本発明の請求項１記載の締付け具は、複数の突起の外周に滑り防止部材を設けたので、ロープが風や振動の影響で長手方向に引張られても、ロープ長手方向に滑って緩まなくなった。
【００１２】
請求項２の締付け具によれば、締付け具本体の逆転を防止するものを切欠としたので、締付け具本体を回転するとき、邪魔にならず、締め付け作業が容易にできるようになった。
【００１３】
本発明の請求項３記載の締付け具によれば、係止部を切欠としたので、並立した突起と同方向の突起がなくなり、突起にロープを絡げたり巻付けるとき係止部が邪魔になることがなく、作業が楽にできるようになった。
【００１４】
本発明の請求項５記載の締付け具によれば、前記突起が先端に突出部を有するので、ロープが突起から外れにくくなった。
【００１５】
本発明の請求項６記載の締付け具によれば、前記係止部又は切欠が、前記突出部に形成された切欠であるので、並立した突起と同方向の突起がなくなり、突起にロープを絡げたり巻付けるとき係止部が邪魔になることがなく、作業が楽にできるようになった。
【発明を実施するための最良の形態】
【００１６】
以下、本発明の実施の形態を添付図面を参照して説明する。図１は本発明の締付け具の第１実施例を示す斜視図で、図２は、図１の突出部を取り除いた状態の一部切欠斜視図である。
【００１７】
裏面に補強材兼用把手部である突条１０を長手方向に有する板状の締付け具本体１１（図では形状を細長い板状で示しているが円形や楕円形等任意である）は、係止部としての切欠１２を有する。図に示す切欠１２は、本体１１の外周に開口し、奥側が狭くなるＶ型で、切欠の縁部は本体１１の表面側から裏面側に向かい狭くなるような傾斜面になっている。
【００１８】
切欠１２がＶ型で奥側が狭くなっているためテープＸを引張りながら挟み込むと、Ｖ型の切欠１２の狭い奥側部分に食込み係止固定されるとともに、挟まれた部分近傍のテープＸが折れ曲り、滑り難くなるから、滑り防止部材の役割も果す。又、この切欠１２は、前記のように縁部に傾斜面があるので、並立した突起３１に絡げ或は巻付けたテープＸを引張りながら挟み込み易い。
【００１９】
なお、前記切欠１２を設ける位置は、図示した位置と数に拘るものではなく、１個でも３個以上であっても良く、本体１１のみではなく後述の突出部２１に設けても良い。又、切欠１２は、テープＸをワンタッチで係止し固定できれば如何なる形状や構成であってもよい。
【００２０】
前記本体１１の略中央に僅かな間隔を隔てて２本の突起３１，３１が略平行に立設されている。この２本の突起３１は、図２の切断端面図に示すように断面がＴ型で、Ｔ型の背を僅かな間隔を隔てて配置されている。Ｔ型の突起の夫々の角部が角張り（図では直角）、絡め或は巻付けられたテープＸが滑らないための滑り防止部材としての役割を果す。
【００２１】
前記並立した２本の突起３１の夫々の上端に２本の突起３１，３１の中心から外側に向かう突出部２１，２１を設ける。この突出部２１は、本体１１と略同じ方向に突出しているが、この突出方向はこの方向に限定されない。
【００２２】
図３の取付け状態を示す一部切欠断面図により締付け具の使い方を説明する。ビニールハウスの骨格にビニール製のテープＸによりビニールシートを取付ける場合、先ず、ビニールハウスの骨格としてパイプ製枠組みを組立てる。この枠組みの地表部近傍にはテープＸを締結或は係止するため地表に添ってパイプが取付けてある。枠組みをビニールシートで覆い、ビニールシートの上にテープＸを張り巡らし、テープの両端をパイプに係止し、ビニールシートを枠組みに押し付けて固定する。
【００２３】
このとき、人力で取付けるためテープＸを強く張ることが困難である。また、仮に強く張ることができた場合でも風や振動の影響で緩むことが多く、増し締めする必要がある。このように、緩くなったテープＸを締め付けるために本発明の締付け具を使用する。
【００２４】
上記のように緩く張られ或は緩くなったテープＸの任意の位置を、並立した突起３１の間に挟み、並立した突起３１，３１の中心軸Ｙを中心に本体１１を回転する。このとき本体１１の補強材兼用把手部１０と突出部２１の補強材兼用把手部２０を手で掴み回転させる。こうすることによって、突起３１，３１の外周にテープＸが巻付けられる。テープＸを並立した突起３１，３１の外周に巻付けた状態で本体１１の切欠１２にテープＸの他の部分を挿入すると、本体１１は逆転できなくなり、テープＸが適正な張りを付与された状態で枠組みに係止固定されるとともに、挿入された部分近傍のテープＸが折れ曲り滑り難くなり、滑り防止部材の役割も果す。
【００２５】
即ち、テープＸは、突起３１，３１の外周の各角３４，３４ａで折れ曲り、これらの各角３４，３４ａが滑り止め部材としての機能を果す。テープＸの巻付け回数が多いほど強く張られたテープＸは、風や振動の影響に耐えられ、緩まない。更に、この切欠１２は、前記のように縁部が表面側から裏面側に向かい狭くなるような傾斜をしているから、並立した突起３１，３１の外周に絡げ或は巻付けたテープＸを挿入し易い上に、Ｖ型であるから強く引張るほどＶ型の狭い奥に引き込まれて固定され、滑り難くなる。
【００２６】
図４は本発明の第２実施例の一部切欠断面図である。この実施例では、並立させた２本の突起３１の断面を合わせると八角形（或は多角形）の断面となる突起３２，３２を使用している。突起３２，３２の外周の角３３が滑り防止部材となっている。即ち、夫々の突起３２，３２の外周に突起の両側の角３４と合わせて３ヶ所以上の滑り防止部材を有することになる。以上の構成の締付け具は、前記実施例と同様の作用効果を有する。
【００２７】
図５は、本発明の第３実施例の一部切欠断面図である。この実施例では、並立させた２本の突起３５，３５の断面を合わせると円形（楕円形等）の断面となる。この突起３５の外周に突起３５の軸方向の先端が尖った突条（断面三角形）３６を設け（セレーション軸形状）或は間欠的に設け、この突条３６を滑り防止部材としている。以上の構成の締付け具も前記実施例と同様の作用効果を有する。
【００２８】
なお、並立させた２本の突起の外周に設けた滑り防止部材は、上記構成に拘るものではなく、並立させた２本の突起の外周に先端が尖った多数の突起やゴム等の弾性体を取付けたり、或は、並立させた２本の突起を揺動自在や可撓性の突起とし、この突起にテープを巻付けると突起間に挟まれたテープが挟持され滑らなくなる構成とするなど種々の構造が考えられる。
【００２９】
また、突起に滑り防止部材を設けずに、締付け具本体に切欠を形成した構成としても、逆転防止の突起が無くなるので、ロープの締め付けがやり易い締付け具を得ることができる。
【００３０】
又、本発明の締付け具は、ビニールハウスを組立てる場合のみならず、物品を包装したり結束する時のテープや荷台上の荷物を縛る時のロープの増し締め等諸々の状況下のロープの増し締め用としても使える締付け具である。
【００３１】
以上の実施例では、突起３１，３２，３５は２本であったが、テープＸを挿通できればよいので、３本以上あってもよい。また、切欠１２は、一方回転方向にだけ設けているが、両回転方向に設けてもよい。
【産業上の利用可能性】
【００３２】
本発明の締付け具は、パイプ等で形成した骨格材にロープにより各種シートを取付けたり、各種物品をロープにより結束或は締結する際、この取付け、結束し或は締結したロープを増し締めし緊張させるときに使用するものである。
【図面の簡単な説明】
【００３３】
【図１】本発明の締付け具の第１実施例を示す斜視図である。
【図２】図１の突出部を取り除いた状態の一部切欠斜視図である。
【図３】本発明の第１実施例の使用状態を示す一部切欠斜視図である。
【図４】本発明の第２実施例を示す一部切欠斜視図である。
【図５】本発明の第３実施例を示す一部切欠斜視図である。
【符号の説明】
【００３４】
１１      締付け具本体
１２      切欠（係止部）
２１      突出部
３１      突起
３２      突起
３３      突起の外周の角（滑り防止部材）
３４      突起の外周の両側の角（滑り防止部材）
３４ａ    突起の外周の角（滑り防止部材）
３５      突起
３６      突起の外周の尖った突条（滑り防止部材）
Ｘ        テープ（ロープ）
【図１】
2005249105.tif 000003
【図２】
2005249105.tif 000004
【図３】
2005249105.tif 000005
【図４】
2005249105.tif 000006
【図５】
2005249105.tif 000007